(57)【要約】【課題】再生起動時に関連付けられた動画を迷わずにアクセスすることができることを目的とする。【解決手段】撮影指示を受け付ける受付手段と、受付手段で受け付けた撮影指示に応じて静止画を撮影して静止画ファイルとして記録するとともに、撮影された動画を既存の動画ファイルの動画に追記するように制御する制御手段と、前記撮影指示に応じて記録される前記静止画ファイルのファイル名よりも新しいファイル名となるように、前記撮影指示に応じて追記された前記既存の動画ファイルのファイル名をリネームする更新手段と、を有することを特徴とする。【選択図】図３
2017085431.tif 000002
【特許請求の範囲】
【請求項１】
記録指示に応じて既存の第１の種別のファイルのコンテンツデータを更新するとともに、第２の種別のファイルを生成して記録するように制御する制御手段と、前記記録指示に応じて記録される前記第２の種別のファイルのファイル名よりも新しいファイル名となるように、当該記録指示に応じて更新される前記第１の種別のファイルのファイル名をリネームする更新手段と、を有することを特徴とするファイル管理装置。
【請求項２】
前記ファイル名はDCF規格に従ったファイル番号を付けたファイル名であることを特徴とする請求項１に記載のファイル管理装置。
【請求項３】
前記更新手段は、最新のファイル番号に少なくとも１以上加えたファイル番号を付けたファイル名となるように前記第１の種別のファイルのファイル名をリネームすることを特徴とする請求項２に記載のファイル管理装置。
【請求項４】
前記更新手段は、前記第１の種別のファイルを新規作成する場合には、最新のファイル番号に少なくとも２以上加えたファイル番号を付けたファイル名となるように前記第１の種別のファイルのファイル名をリネームすることを特徴とする請求項２に記載のファイル管理装置。
【請求項５】
前記制御は、撮影モードが特定の撮影モード時だけ行うことを特徴とする請求項１乃至請求項４の何れか一項に記載のファイル管理装置。
【請求項６】
再生指示（再生ボタン押下、再生モード移行指示）に応じて、最新のファイル名のファイルのコンテンツを出力（画像表示）することを特徴とする請求項１乃至請求項５の何れか一項に記載のファイル管理装置。
【請求項７】
撮影指示を受け付ける受付手段と、受付手段で受け付けた撮影指示に応じて静止画を撮影して静止画ファイルとして記録するとともに、撮影された動画を既存の動画ファイルの動画に追記するように制御する制御手段と、前記撮影指示に応じて記録される前記静止画ファイルのファイル名よりも新しいファイル名となるように、前記撮影指示に応じて追記された前記既存の動画ファイルのファイル名をリネームする更新手段と、を有することを特徴とする撮像装置。
【請求項８】
前記ファイル名はDCF規格に従ったファイル番号を付けたファイル名であることを特徴とする請求項７に記載の撮像装置。
【請求項９】
前記更新手段は、最新のファイル番号に少なくとも１以上加えたファイル番号を付けたファイル名となるように前記動画ファイルのファイル名をリネームすることを特徴とする請求項７に記載の撮像装置。
【請求項１０】
前記更新手段は、前記動画ファイルを新規作成する場合には、最新のファイル番号に少なくとも２以上加えたファイル番号を付けたファイル名となるように前記動画ファイルのファイル名をリネームすることを特徴とする請求項７に記載の撮像装置。
【請求項１１】
前記制御は、撮影モードが特定の撮影モード時だけ行うことを特徴とする請求項７乃至請求項１０の何れか一項に記載の撮像装置。
【請求項１２】
再生指示（再生ボタン押下、再生モード移行指示）に応じて、最新のファイル名のファイルのコンテンツを出力（画像表示）することを特徴とする請求項７乃至請求項１１の何れか一項に記載の撮像装置。
【発明の詳細な説明】
【技術分野】
【０００１】
本発明は、記憶媒体に記録されたコンテンツデータを含むファイルを管理するファイル管理装置、および記憶媒体に記録された画像および動画を表示する撮像装置における画像の表示方法に関する。
【背景技術】
【０００２】
近年、デジタルカメラにおいても静止画の撮影機能の向上だけではなく、動画の撮影機能に関しても目まぐるしい進化を遂げている。通常は、静止画と動画を同時に撮影することはできず、どちらかしか撮影できないため、同じシーンにおいて静止画と動画を撮影したくても、ユーザーは静止画での撮影か動画での撮影かのどちらかを選択して撮影するか、小まめに静止画撮影と動画撮影を切り換えることを強いられていた。
【０００３】
そこで、動画撮影中に静止画を撮影する機能や、静止画の撮影と同時に撮影直前の動画を自動記録するという機能の提案がされている。さらに、静止画の撮影直前の動画を自動記録し、それを静止画撮影のたびに前の動画に追記し、１つの動画にする機能も実現されている（特許文献１参照）。この機能によって撮影された静止画を閲覧中に関連する動画を再生したくなるが、動画は静止画の撮影のたびに追記されたものであるため、動画が生成されたあとに撮影された静止画に埋もれてしまい、探しにくいという課題があった。
【先行技術文献】
【特許文献】
【０００４】
【特許文献１】特開２０１０−６８４７４号公報
【発明の開示】
【発明が解決しようとする課題】
【０００５】
しかしながら、特許文献１に記載されている撮像装置では、動画の撮影直後に動画と関連付けられた静止画を表示しており、これを応用して静止画撮影直後に追記した動画を再生することもできるが、一度電源を切った後に再生モードで起動した際に、関連付けられた動画を見るには手番が必要である。
【０００６】
そこで、本発明は、上記課題を解決し、再生モード遷移時に関連付けられた動画を迷わずにアクセスできることを目的とする。
【課題を解決するための手段】
【０００７】
上記の目的を達成するために、本発明に係るファイル管理装置は、
撮影指示を受け付ける受付手段と、受付手段で受け付けた撮影指示に応じて静止画を撮影して静止画ファイルとして記録するとともに、撮影された動画を既存の動画ファイルの動画に追記するように制御する制御手段と、前記撮影指示に応じて記録される前記静止画ファイルのファイル名よりも新しいファイル名となるように、前記撮影指示に応じて追記された前記既存の動画ファイルのファイル名をリネームする更新手段と、を有することを特徴とする。
【発明の効果】
【０００８】
本発明に係るファイル管理装置によれば、再生起動時に関連付けられた動画を迷わずにアクセスすることができる。
【図面の簡単な説明】
【０００９】
【図１】デジタルカメラの外観図
【図２】実施例の構成ブロック図
【図３】実施例の形態に係る撮影モード時の処理を示すフローチャート
【発明を実施するための形態】
【００１０】
以下、図面を参照して本発明の好適な実施形態を説明する。
【００１１】
図１に、本発明の撮像装置の一例としてのデジタルカメラの外観図を示す。
【００１２】
表示部２８は画像や各種情報を表示する表示部である。シャッターボタン６１は撮影指示を行うための操作部である。モード切替スイッチ６０は各種モードを切り替えるための操作部である。コネクタ１１２は接続ケーブル１１１とデジタルカメラ１００とのコネクタである。操作部７０はユーザーからの各種操作を受け付ける各種スイッチ、ボタン、タッチパネル等の操作部材より成る操作部である。コントローラーホイール７３は操作部７０に含まれる回転操作可能な操作部材である。７２は電源スイッチであり、電源オン、電源オフを切り替える。記録媒体は２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１３】
図２は本実施形態によるデジタルカメラ１００の構成例を示すブロック図である。
【００１４】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１７】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００１８】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１９】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２０】
システムタイマー５３は各種制御に用いる時間や、内蔵された時計の時間を計測する計時部である。
【００２１】
モード切替スイッチ６０、第１シャッタースイッチ６２、第２シャッタースイッチ６４、操作部７０はシステム制御部５０に各種の動作指示を入力するための操作手段である。
【００２２】
モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。モード切替スイッチ６０の操作や、再生ボタンの押下によって再生モードに切り替えられると、システム制御部５０は、最新のファイル名の画像ファイルの画像（コンテンツ）を出力（表示部２８に再生表示）する。
【００２３】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２６】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２７】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２８】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２９】
（ムービーダイジェストモード）
「ムービーダイジェストモード」とは、例えば日ごと等、所定の期間内に撮影された各静止画について、静止画撮影前の所定時間分の動画を撮影し、当該動画が連結された動画ファイルを各静止画と関連付けて記録するモードであるものとする。即ち、ムービーダイジェストモードでは１つの動画に対して１以上の静止画が関連付けられることになる。また、ムービーダイジェストモードでは、所定の期間において最初に静止画が撮影される際にダイジェスト動画として動画が生成され、静止画の撮影ごとに当該動画に撮影前の所定時間分の動画が追記されていくものとする。なお、ダイジェスト動画の動画ファイルは、ファイル容量あるいは動画全体の時間が、１つのダイジェスト動画の容量あるいは時間として予め定められた値を超えない限り追記が実行されるため、基本的には所定の期間に１つの動画ファイルのみが記録される。
【００３０】
モード切替スイッチ６０によりデジタルカメラ１００の動作モードがムービーダイジェストモードに切り替えられると、システム制御部５０は動画撮影処理を開始し、撮影により得られた動画をメモリ３２に記憶させるようにメモリ制御部１５を制御する。メモリ３２に記録させる動画の最長時間は例えば４秒等の所定時間に設定され、メモリ３２に記憶させる動画の時間が当該最長時間を超える場合は、超える時間分、撮影された時刻が古いフレームから順に削除するようにメモリ制御部１５を制御する。
【００３１】
そしてシステム制御部５０は、撮影指示であるＳＷ２信号を受信すると、メモリ３２への動画の書き込みを停止させ、メモリ３２に記憶されている動画を記録媒体２００にダイジェスト動画として記録させる。このとき、記録媒体２００に既に同じ所定期間に記録されたダイジェスト動画のファイルが存在するか否かにより記録媒体２００へのダイジェスト動画の記録方法を異ならせる。即ち、同じ所定期間に記録されたダイジェスト動画のファイルが存在しない場合は、当該ダイジェスト動画を新規のファイルとして記録媒体２００に記録する。また、同じ所定期間に記録されたダイジェスト動画が存在する場合は、記録するダイジェスト動画を、既に存在するダイジェスト動画のファイルの続きとして、連結して記録する。つまり、ムービーダイジェストモードで静止画が複数回撮影される場合、最初の静止画撮影前の所定時間分の動画がまず記録媒体に記録されるとともに、当該動画と関連付けられた静止画が記録される。２回目以降の静止画撮影については、当該静止画の撮影前の所定時間分の動画は先に記録された動画に追記されるとともに、当該静止画が記録される。なお、記録媒体２００に記録されるダイジェスト動画のファイルは、ヘッダ部あるいは当該動画ファイルと関連付けられたサムネイル画像ファイル等に、当該動画ファイルがダイジェスト動画であることを示す属性情報が付与されるものとする。
【実施例１】
【００３２】
図３に、本実施形態の動作を説明するフローチャートを示す。
【００３３】
図３は撮影モードがムービーダイジェストモード時に、静止画の撮影操作があった際、静止画と動画を記録媒体２００内に記録するフローチャートである。この処理は、不揮発性メモリ５６に記録されたプログラムをシステムメモリ５２に展開してシステム制御部５０が実行することで実現する。
【００３４】
まず、撮影モードがムービーダイジェストモードで起動されると、Ｓ３０１にて記録媒体２００内のディレクトリをサーチして最終ディレクトリを特定する。次にＳ３０２にて、特定した最終ディレクトリ内の最新のファイル名を取得する。続いて、Ｓ３０３で動画の記録を開始し、Ｓ３０２でメモリ３２に動画を格納する。Ｓ３０５で第２シャッタースイッチ６４が押されたかどうかを判断し、押されていればＳ３０８へ進み、押されていなければＳ３０６へ進む。Ｓ３０６では、電源スイッチ７２が押されているかを判断し、押されていればＳ３０７へと進み終了処理をして電源を落とす。押されていなければＳ３０４へ戻り動画の記録を継続する。Ｓ３０８では動画の記録を停止して、Ｓ３０９にて静止画を撮影する。
【００３５】
次にＳ３１０でＳ３０４にてメモリ３２に格納していた動画を記録媒体２００に記録しないかどうかの判断をする。例えば、記録しない場合としては、Ｓ３０４にて格納した動画が所定時間よりも短く、動画として記録するほどでもない場合が考えられ、この場合は静止画のみを記録する。
【００３６】
Ｓ３１０にて動画を記録しないと判断された場合は、Ｓ３１１へと進み、追記対象のダイジェスト動画ファイルがあるかどうかを判別する。ダイジェスト動画ファイルがある場合はＳ３１２へ進み、Ｓ３０２にて取得したファイル名のファイル番号に１を足したファイル番号を付加したファイル名を生成する。続けてＳ３１３でそのファイル名で追記対象のダイジェスト動画ファイルをリネームし、Ｓ３１４ではＳ３０９で撮影した静止画を、Ｓ３０２にて取得したファイル名のファイル番号で生成する。例えばこの時ファイル名としてはDCFの規格に準拠したものとし、ここでいうファイル番号というのはファイル名の末尾４桁の数字をファイル番号として扱うとよい。また、Ｓ３１１でダイジェスト動画ファイルがなかった場合は、そのままＳ３１４へと進み、静止画生成のみを実行する。こうして、Ｓ３１２〜Ｓ３１４のようにすることで、既存のダイジェスト動画ファイルに追記をしない場合でも、ダイジェスト動画ファイルをファイル番号順で最新に保つことで常に閲覧しやすくすることができる。
【００３７】
一方、Ｓ３１０で動画を記録すると判断した場合はＳ３１５へ進み、Ｓ３０４にて撮影した動画を新規ファイルとして記録するかどうかの判断をする。例えば、新規ファイルとして記録する場合としては、追記対象のダイジェスト動画がない場合や、前回の追記対象のダイジェスト動画の撮影日と現在の撮影日が異なる場合などが考えられる。
【００３８】
Ｓ３１５にて新規ファイルとして記録すると判断された場合はＳ３１６へと進み、Ｓ３０２にて取得したファイル名のファイル番号に２を足したファイル番号を付加したファイル名を生成する。続けてＳ３１７でそのファイル名で新規にダイジェスト動画ファイルを生成する。その後、Ｓ３１８でＳ３０２にて取得したファイル名のファイル番号に１を足したファイル番号を付加したファイル名でＳ３０９にて撮影した静止画を生成する。このとき、Ｓ３１６で生成されるファイル名のファイル番号の方がＳ３１８でのファイル名に含まれるファイル番号よりの大きいことが必要である。こうして、Ｓ３１６〜Ｓ３１８のようにすることで、新規でダイジェスト動画ファイルを生成する場合でも、ダイジェスト動画ファイルをファイル番号順で最新に保つことで常に閲覧しやすくすることができる。
【００３９】
また、Ｓ３１５にて、新規ファイルとして記録せず既存のダイジェスト動画に追記する場合は、Ｓ３１９に遷移し、追記対象のダイジェスト動画を記録媒体２００からメモリ３２に読みこむ。そして、Ｓ３２０にて追記対象のダイジェスト動画が追記可能かどうかを判断する。追記可能である場合は、Ｓ３２１へ進み、Ｓ３０４にて撮影した追記する部分の動画の一時ファイルを生成する。続けて、Ｓ３２２では追記対象のダイジェスト動画にＳ３２１で生成した一時ファイルを結合する。その後、Ｓ３２３にてＳ３０２にて取得したファイル名のファイル番号に１を足したファイル番号を付加したファイル名を生成し、Ｓ３２４でＳ３２２のファイルをＳ３２３のファイル名にリネームする。最後に、Ｓ３２５にて、Ｓ３０９で撮影した静止画をＳ３０２で取得したファイル名のファイル番号で生成する。こうして、Ｓ３２１〜Ｓ３２５のようにすることで、既存のダイジェスト動画ファイルに追記をする場合でも、ダイジェスト動画ファイルをファイル番号順で最新に保つことで常に閲覧しやすくすることができる。
【００４０】
上記のようにファイル番号順で最新にダイジェスト動画ファイルを配置することで、再生モードに遷移した際に、最新のファイル番号のファイルを表示し、ダイジェスト動画ファイルを簡単に閲覧させることができる。
【００４１】
なお、システム制御部50が行うものとして説明した上述のフローチャートの制御は１つのハードウェアが行ってもよいし、複数のハードウェアが処理を分担することで、装置全体の制御を行ってもよい。
【００４２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４３】
また、上述した実施形態においては、本発明をデジタルカメラ１００に適用した場合を例にして説明したが、これはこの例に限定されず、上述のダイジェスト動画と、関連する静止画のように、第１の種別の１つのファイルに、第２の種別の複数のファイルを関連付けて記録することのあるファイル管理装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００４４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４５】
２８  表示部、６０  モード切替スイッチ、６１  シャッターボタン
【図１】
2017085431.tif 000003
【図２】
2017085431.tif 000004
【図３】
2017085431.tif 000005